(57)【要約】【課題】両被締付体の内側で内圧の上昇などにより一方の被締付体が他方の被締付体に対して開く方向に力が発生しても、両被締付体間に隙間が生じることなく、両被締付体を確実に締め付け保持する。【解決手段】ファスナー１は固定基板１０と、可動本体２０及び引掛け枠２７と、受具３０とにより構成され、特に受具３０は受具固定部材３１と受具可動部材３５とを備え、扉５、筐体６間の引掛け枠２７による引張力を、扉５、筐体６相互の隣接端部を引き寄せる方向と、扉５を筐体６に閉じる方向の２方向に作用させる。【選択図】図３
2009183424.tif 000002
【特許請求の範囲】
【請求項１】
一方の被締付体に固定基板を介して回動可能に取り付けられる可動本体、及び前記可動本体に回動可能に取り付けられる引掛け枠と、他方の被締付体に固着される受具とを備え、前記可動本体の回動操作により、前記引掛け枠を前記受具に引掛けて引張り、前記引掛け枠の引張力により、前記両被締付体を締め付け保持する締付用ファスナー装置において、
前記受具は、
前記他方の被締付体に固定される受具固定部材と、
前記受具固定部材に前記一方の被締付体と前記他方の被締付体との間で回動可能に取り付けられ、前記一方の被締付体側に回動された状態で、前記引掛け枠に当該引掛け枠の引張方向に対して係合可能な受部、及び前記一方の被締付体に対接して前記引掛け枠の引張力を作用させる加圧部を有する受具可動部材と、
を備え、
前記両被締付体間の引掛け枠による引張力を、前記両被締付体相互の隣接端部を引き寄せる方向と、前記両被締付体を閉じる方向の２方向に作用させる、
ことを特徴とする締付用ファスナー装置。
【請求項２】
受具可動部材はばね手段を介して、常態において他方の被締付体側に回動付勢される請求項１に記載の締付ファスナー装置。
【請求項３】
受具可動部材の加圧部に弾性材からなる押え部材が付設される請求項１又は２に記載の締付ファスナー装置。
【発明の詳細な説明】
【技術分野】
【０００１】
本発明は、一方の被締付体と他方の被締付体とを閉鎖状態に締め付け保持する締付用ファスナー装置に関する。
【背景技術】
【０００２】
図４に、一方の被締付体と他方の被締付体との間に適用された、従来の締付用ファスナー装置を示している。図４（ａ）は締付用ファスナー装置の平面図であり、図４（ｂ）は締付用ファスナー装置の側面図である。このファスナー装置４は、固定基板４１と、固定基板４１に枢支され、先端に操作レバー４３を有する可動本体４２と、可動本体４２にこの可動本体４２の枢支点よりも操作レバー４３側にずれた部位に枢支された略Ｕ字形形状の引掛け枠４４と、フック形状（逆Ｌ字形形状）の受具４５とを備える。そして、固定基板４１が一方の被締付体となる扉５にビスなどの固着具４６により固着されて、この固定基板４１により可動本体４２が扉５上に回動可能に取り付けられ、受具４５が他方の被締付体である筐体６の開口６３周囲の側面６６にビスなどの固着具４６により固着される。このようにして、扉５で筐体６の開口６３を閉鎖し、この状態から、操作レバー４３を引き上げて可動本体４２を固定基板４１から引き離す方向に回動させるとともに、引掛け枠４４を受具４５に向けて回動させ、引掛け枠４４を受具４５に引掛けて、この状態から、今度は反対に、操作レバー４３を押し下げ、可動本体４２を固定基板４１に向けて回動させて、可動本体４２で受具４５に引掛けられた引掛け枠４４を（扉５側に）引張ることにより、この引掛け枠４４の引張力の作用で、扉５を筐体６に閉鎖状態に締め付け保持することができる。この種のファスナー装置は特許文献１などに記載されている。
【０００３】
【特許文献１】特開平８−２８４５１４号公報
【発明の開示】
【発明が解決しようとする課題】
【０００４】
しかしながら、上記従来のファスナー装置では、図４に示すとおり、一方の被締付体（扉）５側の可動本体４２に枢支された引掛け枠４４を、他方の被締付体（筐体）６側に固着された受具４５に引掛けて、可動本体４２の回動操作により引掛け枠４４を引張り、この引掛け枠４４の引張力により、両被締付体５、６を締め付けるので、引掛け枠４４の引張力は一方の被締付体５と他方の被締付体６との間で、両被締付体５、６の平面に沿って、両被締付体５、６相互の隣接端部を引き寄せる方向に作用するが、両被締付体５、６の平面に向けて、すなわち一方の被締付体５を他方の被締付体６に（外側から内側に向けて）押し付けて、両被締付体５、６を閉じる方向に作用しないために、図５に示すように、両被締付体５、６の内側で内圧の上昇などにより一方の被締付体５が他方の被締付体６に対して開く方向に力が発生した場合に、一方の被締付体５が開き、両被締付体５、６間に隙間が生じるおそれがある、という問題がある。
【０００５】
本発明は、このような従来の問題を解決するもので、この種の締付用ファスナー装置において、両被締付体間の引掛け枠による引張力を、両被締付体相互の隣接端部を引き寄せる方向と、両被締付体を閉じる方向に作用させて、両被締付体の内側で内圧の上昇などにより一方の被締付体が他方の被締付体に対して開く方向に力が発生しても、両被締付体間に隙間を生じることなく、両被締付体を確実に締め付け保持すること、を目的とする。
【課題を解決するための手段】
【０００６】
上記目的を達成するために、本発明の締付用ファスナー装置は、一方の被締付体に固定基板を介して回動可能に取り付けられる可動本体、及び前記可動本体に回動可能に取り付けられる引掛け枠と、他方の被締付体に固着される受具とを備え、前記可動本体の回動操作により、前記引掛け枠を前記受具に引掛けて引張り、前記引掛け枠の引張力により、前記両被締付体を締め付け保持する締付用ファスナー装置において、
前記受具は、
（１）前記他方の被締付体に固定される受具固定部材と、
（２）前記受具固定部材に前記一方の被締付体と前記他方の被締付体との間で回動可能に取り付けられ、前記一方の被締付体側に回動された状態で、前記引掛け枠に当該引掛け枠の引張方向に対して係合可能な受部、及び前記一方の被締付体に対接して前記引掛け枠の引張力を作用させる加圧部を有する受具可動部材と、
を備え、
（３）前記両被締付体間の引掛け枠による引張力を、前記両被締付体相互の隣接端部を引き寄せる方向と、前記両被締付体を閉じる方向の２方向に作用させる、
ことを要旨とする。
【０００７】
この場合、受具可動部材はばね手段を介して、常態において他方の被締付体側に回動付勢されることが好ましい。また、受具可動部材の加圧部に弾性材からなる押え部材が付設されることが好ましい。
【発明の効果】
【０００８】
本発明の締付用ファスナー装置は、上記の構成により、各被締付体間の引掛け枠による引張力を、両被締付体相互の隣接端部を引き寄せる方向と、両被締付体を閉じる方向（つまり、被締付体の外側から内側の方向へ）の２方向に作用させるので、両被締付体の内側で内圧の上昇などにより各被締付体を開く方向に（つまり、被締付体の内側から外側の方向に向けて）力が発生しても、これを押えて、両被締付体間に隙間が生じることなく、両被締付体を確実に締め付け保持することができる、という効果を奏する。
【発明を実施するための最良の形態】
【０００９】
本発明の一実施の形態について図を用いて説明する。図１に締付用ファスナー装置（以下、単にファスナーという。）を示している。図１（ａ）はファスナーの平面図であり、図１（ｂ）はファスナーの側面図である。
【００１０】
図１に示すように、ファスナー１は、一方の被締付体に固定基板１０を介して回動可能に取り付けられ、先端に操作レバー２２を有する可動本体２０、及び可動本体２０に回動可能に取り付けられた引掛け枠２７と、他方の被締付体に固着された受具３０とを備える。なお、ここでは、一方の被締付体は筐体の扉５で、この扉５は、矩形の平面形状部５１と、この平面形状部５１の外周に直角方向に突出された外周縁部５２とを有する。他方の被締付体は筐体６で、この筐体６は例えば正面（他の面でも可）が矩形の枠形状６１に構成されて、その所定の位置に扉５が嵌合可能な矩形の凹部６２が形成され、この凹部６２（の底面となる面）に、扉５の平面形状部５１よりも少し小さい矩形の開口６３と、この開口６３の周囲で扉５の外周縁部５２が当接可能な内周縁部６４とを有する。そして、扉５は平面形状部５１の一方の側部が筐体６の枠形状６１の一方の側面６５にヒンジ６６を介して回動可能に取り付けられる。このようにして扉５は筐体６の凹部６２に一体的に嵌合されて、筐体６の開口６３が閉鎖され、そして、この扉５が筐体６の一方の側面６５に向けて回動されて、筐体６の開口６３が全開されるようになっている。
【００１１】
固定基板１０は金属材により所定の平面形状に形成されるとともにその両側の一端と中央付近に立ち上がりが形成されて、平面形状部１１と、一対の軸受１２と、ロック片１３とを有する。平面形状部１１は後述する可動本体２０の平面形状に対応し、可動本体２０が載置可能に形成される。なお、このファスナー１の場合、この平面形状部１１と可動本体２０との組み合わせにより、全体が細長い略箱形に構成される。この平面形状部１１には両端と中央の適宜位置にビスなどの固着具１４が挿通可能な通し穴１１０が穿たれる。一対の軸受１２は平面形状部１１の両側の一端にそれぞれ上方に向けて所定の高さに形成され、上部に枢軸２６が挿通可能な軸穴１２０が穿たれる。ロック片１３は平面形状部１１の中央付近に上方に向けて各軸受１２よりも高い所定の高さにかつ各軸受１２と平行に形成され、上部に南京錠のフック棒などを通すためのロック穴１３０が穿たれる。なお、ここでは図示を省略しているが、この固定基板１０にはさらにストッパー片が設けられる。このストッパー片は平面形状部の他方の端部側にロック片に近接して、上方に向けて各軸受と略同じ高さ又は少し低い所定の高さに形成され、上部に略逆Ｖ字形の係止部が形成される。このようにして固定基板１０は、扉５のヒンジ結合された一方の側部とは反対の他方の側部側所定の位置に、平面形状部１１の各通し穴１１０に固着具１４を通して固着される。
【００１２】
可動本体２０は金属材により断面略コ字形に形成されて平面部２１と両側面部２４とからなり、平面部２１の他端に操作レバー２２、中央付近にロック片挿通穴２３を有し、両側面部２４の一端に一対の軸受２５を有する。平面部２１は細長い矩形状に形成され、一端の両側は略Ｕ字形に切り欠かれて、その中間部が枢軸２６の周囲に回り込む曲面形状になっている。操作レバー２２は平面部２１の他端に形成され、この他端は（操作レバー２２の操作の際に、指が掛かりやすいように）固定基板１０の他端よりも突出され、上方に向けて少し湾曲される。ロック片挿通穴２３は平面部２１の中央付近に、ロック片１３が挿通可能にロック片１３の断面形状に対応する形状でそれよりも少し大きく形成される。両側面部２４はそれぞれ平面部２１の両側部に対応して細長い矩形状に形成される。一対の軸受２５は両側部２４の一端に形成され、枢軸２６が挿通可能な軸穴２５０が穿たれる。なお、これらの軸受２５は固定基板１０の平面形状部１１の一対の軸受１２の外側に当接可能になっている。また、両側面部２５の中間所定の位置に引掛け枠２７を取り付けるための取付穴２５１が穿たれる。このようにして可動本体２０は固定基板１０上に、可動本体２０と固定基板１０の各軸受２５、１２を合せて載置され、一方の各軸受２５、１２から他方の各軸受２５、１２に枢軸２６が通されるとともに枢軸２６の両端がかしめられて、扉５の既述の所定の位置に固定基板１０を介して回動可能に取り付けられる。なお、ここでは図示を省略しているが、この可動本体２０には平面部の内側にストッパー係脱片が併せて設けられる。このストッパー係脱片は細長い板状の部材で、一端に平面状の押圧部を有し、中央部付近にストッパー片が挿通可能な係止穴又は係止溝を有し、他端に一対のガイド突起を有する。そして、可動本体の一方の側部にストッパー係脱片が挿通可能なガイド穴が形成され、他方の側部にストッパー係脱片の一対のガイド突起が挿通可能な一対のガイド穴が形成されて、ストッパー係脱片は一対のガイド突起にコイルスプリングを巻装され、これらガイド穴、一対のガイド穴を通して、両側部間に架け渡される。このようにして可動本体２０を固定基板１０に向けて回動操作すると、ストッパー係脱片の係止穴又は係止溝の縁部がストッパー片の係止部の先端に衝接し、この状態から（ストッパー係脱片のコイルスプリングによる付勢力に抗して）可動本体２０をさらに回動操作すると、ストッパー片の係止部が、この係止部の逆Ｖ字形状の案内によりストッパー係脱片を押圧部を押す方向と同じ方向に押して、ストッパー係脱片の係止穴又は係止溝に挿通され、この係止部が係止穴又は係止溝を完全に通過すると、ストッパー係脱片が（ストッパー係脱片のコイルスプリングの付勢力により）元の状態に弾性復帰されて、ストッパー片は係止部がストッパー係脱片の係止穴又は係止溝の縁部に係止されて抜け止めされる。このストッパー係脱片とストッパー片との係合により、可動本体２０は固定基板１０上に固定され、回動規制される。そしてこの状態から、ストッパー係脱片の押圧部を可動本体の側面に向けて押すと、ストッパー係脱片全体がその押した方向に変位して、ストッパー係脱片の係止穴又は係止溝がストッパー片の係止部の位置に移動し、ストッパー片がストッパー係脱片の係止穴又は係止溝から抜け外れる。このストッパー係脱片とストッパー片との離脱により、可動本体２０の回動規制が解除される。引掛け枠２７は全体が略コ字形又は略Ｕ字形に形成されるとともに両側が引掛け端２７１側で略への字形に屈曲され、また両端は内側に向けて折り曲げられて取付軸２７２が形成される。この引掛け枠２７は両端の取付軸２７２が可動本体２０の両側面部２４の各取付穴２５１に外側から挿通され各挿通端がかしめられて、可動本体２０の両側面部２４に回動可能に取り付けられる。
【００１３】
受具３０は、受具固定部材３１と、受具可動部材３５とを備える。受具固定部材３１は、断面略コ字形または略Ｕ字形に形成されて、固定部３２と、一対の軸受部３３とを有する。固定部３２は略矩形の平面形状に形成され、その一端部に複数のビスなどの固着具１４が挿通可能な通し穴３２０が穿たれる。一対の軸受部３３は固定部３２の両側に立ち上げられ、固定部３２の他端部側に対応する端部に枢軸３９が挿通可能な軸穴３３０が穿たれる。この軸受部３３の場合、軸受部３３の上部は、固定部３２の一端部に対応する端部が小さい所定の径の円弧状に形成され、軸穴３３０を有する他方の端部が大きい所定の径の円弧状に形成されるとともに、これら端部間が大きい所定の径の湾曲状に形成されて、この曲面形状が後述する受具可動部材３５の受部３７１に引掛け枠２７の引掛け端２７１を係合案内するガイド３４になっている。受具可動部材３５は、受具固定部材３１内に配置可能に断面略コ字形又は略Ｕ字形に形成されて、可動部３６と、一対の可動軸受部３７とを有する。この場合、可動部３６は略矩形の平面形状に形成される。この場合、可動部３６の中央に押え部材３８を取り付けるための取付穴３６０が穿たれる。押え部材３８はゴムなどの弾性材からなり、取付穴３６０よりも大きい所定の径を有する円盤状の押圧部３８１と、この押圧部３８の一方の面の中心から突出し、取付穴３６０に挿通係止される段差形状の取付軸３８２とを有する。この押え部材３８は可動部３６の取付穴３６０に外側から挿通され、押圧部３８１が可動部３６の外側面（受部３７１とは反対側の面）で取付穴３６０の周縁に当接されて、取付軸３８２が可動部３６の内側面（受部３７１側の面）で取付穴３６０の周縁に係止されて固定される。これら可動部３６と押え部材３８とにより、扉５に対接して引掛け枠２７の引張力を作用させる加圧部３６Ｐが構成される。一対の可動軸受部３７は可動部３６の両側に立ち上げられるとともに可動部３６の一端延長上に突出して形成され、その突出端に枢軸３９が挿通可能な軸穴３７０が穿たれる。この場合、各可動軸受部３７は全体が略山形形状に形成されるとともに、可動部３６の一端延長上に突出する各可動軸受部３７の縁部が略Ｓ字形に形成されて、その凹状の上部が引掛け枠２７の引掛け端２７１の受部３７１になっている。また、この場合、各可動軸受部３７の略中央位置にトーションコイルスプリング４０のための係止穴３７２が併せて穿たれる。このようにして受具可動部材３５は受具固定部材３１上に、受具可動部材３５の受部３７１が受具固定部材３１のガイド３４側に向けられて、受具可動部材３５と受具固定部材３１の各軸受部３７、３３を合せて配置され、一方の各軸受３７、３３から他方の各軸受３７、３３に枢軸３９がトーションコイルスプリング４０を巻装されて通されるとともに枢軸３９の両端がかしめられて回動可能に取り付けられ、トーションコイルスプリング４０の一方の係止端４０１が各可動軸受部３７の係止穴３７２に係止されるとともに他方の係止端４０２が受具固定部材３１の固定部３２の枢軸３９に近接する端縁に係止されて、受具可動部材３５が常態において受部３７１と受具固定部材３１のガイド３４が近接する方向に回動付勢される。そして、この受具３０は、受具固定部材３１が筐体６のヒンジ６６とは反対の他方の側面６７で、この場合、筐体６の凹部６２に近接して、扉５に取り付けられた可動本体２０に対応する所定の位置に、固定部３２の各通し穴３２０に固着具１４を通して固着される。このように受具固定部材３１が筐体６の他方の側面６７の所定の位置に固定され、この受具固定部材３１に受具可動部材３５が常態において筐体６の他方の側面６７に回動付勢された状態で筐体６の他方の側面６７と扉５の平面形状部５１との間で回動可能に取り付けられ、この受具可動部材３５が扉５側に回動された状態で、受部３７１が引掛け枠２７の引掛け端２７１に当該引掛け枠２７の引張方向に対して係合可能に、また、加圧部３６Ｐ（可動部３６及び押え部材３８）が扉５に対接して引掛け枠２７の引張力を扉５を閉じる方向に変換して作用させるようになっている。
【００１４】
このようにして扉５側の可動本体２０の回動操作により、引掛け枠２７を筐体６の他方の側面６７の受具３０に引掛けて引張り、これら扉５と筐体６の（他方の）側面６７との間の引掛け枠２７による引張力を、これら扉５と筐体６の側面６７相互の隣接端部を引き寄せる方向と、扉５の外周縁部５２で筐体６の凹部６２の内周縁部６４を押圧して扉５を筐体６の開口６３を閉じる方向の２方向に作用させて、扉５と筐体６とを締め付け保持する。
【００１５】
図２及び図３に、このファスナー１により扉５を筐体６に締め付け保持する具体的な態様を示している。このファスナー１で、扉５を筐体６に締め付ける場合、まず、図３に示すように、扉５で筐体６の開口６３を閉鎖し、この状態から、操作レバー２２を引き上げて可動本体２０を固定基板１０から引き離す方向に回動させるとともに、引掛け枠２７を受具３０に向けて回動させ、引掛け枠２７を受具３０に引掛ける。このとき、受具３０の受具可動部材３５は筐体６の他方の側面６７側に回動付勢されて、受部３７１と受具固定部材３１のガイド３４が近接した状態になっているが、引掛け枠２７の引掛け端２７１を受部３７１の上部当たりに掛けて、この状態で、操作レバー２２を押し下げて、可動本体２０を固定基板１０に向けて回動させると、引掛け枠２７の引掛け端２７１は受具固定部材３１のガイド３４に沿って案内されながら、このガイド３４から徐々に離れる方向に回動変位する受部２７１に係合する。引き続き、可動本体２０を回動し、可動本体２０で受具３０に引掛けられた引掛け枠２７を扉５側に引張る。この可動本体２０の回動とともに、可動本体２０のロック片挿通穴２３に固定基板１０上のロック片１３が通され、併せて既述のストッパー係脱片の係止穴又は係止溝の縁部がストッパー片の係止部の先端に衝接するとともに、ストッパー片の係止部が、この係止部の逆Ｖ字形状の案内によりストッパー係脱片を押圧部を押す方向と同じ方向に押して、ストッパー係脱片の係止穴又は係止溝に挿通される。そして、図３に示すように、可動本体２０を固定基板１０上まで回動すると、受け具可動部材３５が扉５側に回動されて、受部３７１は引掛け枠２７に当該引掛け枠２７の引張方向に対して係合し、加圧部３６Ｐは扉５に対接して、引掛け枠２７の引張力を作用させる。すなわち、これら扉５と筐体６の（他方の）側面６７との間の引掛け枠２７による引張力を、これら扉５と筐体６の側面６７相互の隣接端部を引き寄せる方向と、扉５の外周縁部５２で筐体６の凹部６２の内周縁部６４を押圧して扉５を筐体６の開口６３を閉じる方向の２方向に変換して作用させ、扉５と筐体６とを締め付け保持する。同時に、固定基板１０上のロック片１３が可動本体２０のロック片挿通穴２３を通り抜けて、ロック片１３のロック穴１３０が可動本体２０の外部に突出される。併せて、既述のストッパー片の係止部はストッパー係脱片の係止穴又は係止溝を完全に通過して、ストッパー係脱片が元の状態に弾性復帰され、このストッパー片は係止部がストッパー係脱片の係止穴又は係止溝の縁部に係止されて抜け止めされる。このストッパー係脱片とストッパー片との係合により、可動本体２０は固定基板１０上に固定され、回動規制される。そして、ロック片１３のロック穴１３０に南京錠のフック棒などを挿通して錠止することにより、この扉５の締め付け状態が完全に固定される。
【００１６】
以上説明したように、このファスナー１によれぱ、扉５と筐体６の他方の側面６７との間の引掛け枠２７による引張力を、扉５と筐体６の側面６７相互の隣接端部を引き寄せる方向と、扉５を筐体６に閉じる方向、つまり、扉５の外側から内側の方向への２方向に作用させるので、扉５の内側で内圧の上昇などにより扉５が筐体６から開く方向に（つまり、扉５の内側から外側の方向に向けて）力が発生しても、これを押えて、扉５と筐体６との間に隙間を生じることなく、扉５を筐体６に確実に締め付け保持することができる。
【００１７】
なお、この実施の形態では、加圧部３６Ｐが受具可動部材３６の可動部３６と押え部材３８で構成されているが、これはより好ましい形態を例示したものであり、加圧部３６Ｐが可動部３６のみで構成されても勿論かまわない。
【図面の簡単な説明】
【００１８】
【図１】（ａ）本発明の一実施の形態における締付ファスナー装置の平面図（ｂ）同ファスナー装置の側面図
【図２】同ファスナー装置による締め付け動作（締付前）を示す側面図
【図３】同ファスナー装置による締め付け動作（締付後）を示す側面図
【図４】（ａ）従来の締付ファスナー装置の平面図（ｂ）同ファスナー装置の側面図
【図５】同ファスナー装置による締め付け動作における課題を示す側面図
【符号の説明】
【００１９】
１  締付ファスナー装置
１０  固定基板
１１  平面形状部
１１０  通し穴
１２  軸受
１２０  軸穴
１３  ロック片
１３０  ロック穴
１４  固着具
２０  可動本体
２１  平面部
２２  操作レバー
２３  ロック片挿通穴
２４  側面部
２５  軸受
２５０  軸穴
２５１  取付穴
２６  枢軸
２７  引掛け枠
２７１  引掛け端
２７２  取付軸
３０  受具
３１  受具固定部材
３２  固定部
３２０  通し穴
３３  軸受部
３３０  軸穴
３４  ガイド
３５  受具可動部材
３６Ｐ  加圧部
３６  可動部
３６０  取付穴
３７  可動軸受部
３７０  軸穴
３７１  受部
３７２  係止穴
３８  押え部材
３８１  押圧部
３８２  取付軸
３９  枢軸
４０  トーションコイルスプリング
４０１、４０２  係止端
５  扉（一方の被締付体）
５１  平面形状部
５２  外周縁部
６  筐体（他方の被締付体）
６１  枠形状
６２  凹部
６３  開口
６４  内周縁部
６５  側面
６６  ヒンジ
６７  側面
【図１】
2009183424.tif 000003
【図２】
2009183424.tif 000004
【図３】
2009183424.tif 000005
【図４】
2009183424.tif 000006
【図５】
2009183424.tif 000007